(57)【要約】【課題】浴室に進入した特定の生体を検知して報知することができる浴室監視システムを提供する。【解決手段】浴室監視システム１は、浴室ＢＲに入室している生体（進入者Ｐ）の生理量を検出する生理量センサ１２と、生理量センサ１２で検出された生理量が予め設定された判定範囲内である場合に報知を行う入室報知部１３１と、を備え、台所リモコン４０により報知を行う。【選択図】図１
2018036883.tif 000002
【特許請求の範囲】
【請求項１】
浴室に入室している生体の生理量を検出する生理量検出部と、
前記生理量検出部で検出された前記生理量が予め設定された判定範囲内である場合に報知を行う入室報知部と、を備えていることを特徴とする浴室監視システム。
【請求項２】
請求項１に記載の浴室監視システムにおいて、
前記判定範囲を設定する判定範囲設定部をさらに備え、
前記判定範囲設定部は、前記報知の対象である生体が前記浴室に入室している状態で、前記生理量検出部により検出された前記生理量に基づいて前記判定範囲を設定することを特徴とする浴室監視システム。
【請求項３】
請求項１に記載の浴室監視システムにおいて、
前記判定範囲を設定する判定範囲設定部をさらに備え、
前記生理量検出部は、前記浴室に設置された浴室暖房機に設けられ、
前記判定範囲設定部は、使用者による前記浴室暖房機の操作部の操作に応じて前記判定範囲を設定する処理を実行することを特徴とする浴室監視システム。
【請求項４】
請求項１〜３の何れか１項に記載の浴室監視システムにおいて、
前記生理量検出部は、前記生理量として、生体の心拍、脈拍、呼吸、血圧のうちの何れか１つの状態を検出することを特徴とする浴室監視システム。
【発明の詳細な説明】
【技術分野】
【０００１】
本発明は、浴室内に進入した幼児や動物を検出することができる浴室監視システムに関する。
【背景技術】
【０００２】
従来、浴室の壁面や天井に電波等で人を検知する人感センサを設置して、浴室に入ってきた幼児や屋外から浴室に侵入しようとする不審者を発見し、警報で知らせる浴室監視システムが知られている。
【０００３】
例えば、特許文献１の異常検知装置は、第１のセンサと第２のセンサとで構成されている。第１のセンサは浴室の壁面に設置され、浴室内全域の人の動きを検知する。また、第２のセンサは脱衣室に設置され、身長が１ｍ以上の人の動きを検知する。
【０００４】
そして、第２のセンサが脱衣室で人の動きを検知せず、第１のセンサが浴室で人の動きを検知した場合に、浴室内に幼児が進入した可能性があるとして異常を通報するようになっている（特許文献１／段落００１３〜００１５，図１）。
【先行技術文献】
【特許文献】
【０００５】
【特許文献１】特開２００６−０６５３６７号公報
【発明の概要】
【発明が解決しようとする課題】
【０００６】
しかしながら、上記の異常検知装置では、幼児が手を挙げた状態で脱衣室に入ってきた場合等には、まず第２のセンサがオンし、続いて幼児が浴室に入ると第１のセンサがオンするので、異常と判定されなかった。このため、幼児の浴室への進入を確実に検知して通報することができなかった。
【０００７】
本発明は、このような事情に鑑みてなされたものであり、浴室に進入した幼児等の特定の生体をより確実に検知して、報知することができる浴室監視システムを提供することを目的とする。
【課題を解決するための手段】
【０００８】
本発明の浴室監視システムは、浴室に入室している生体の生理量を検出する生理量検出部と、前記生理量検出部で検出された前記生理量が予め設定された判定範囲内である場合に報知を行う入室報知部と、を備えていることを特徴とする。
【０００９】
この浴室監視システムにおいて、生理量検出部は、浴室に入室している生体（人間又は動物）の生理量（心拍数、呼吸数等）を検出する。例えば、子供の心拍数は、大人と比較して高い数値範囲内にあるので、浴室内の生体の生理量が予め設定された判定範囲内である場合に、入室報知部により報知が行われる。これにより、浴室に進入した幼児等の特定の生体をより確実に検知して、報知することができる浴室監視システムを実現することができる。
【００１０】
本発明の浴室監視システムにおいて、前記判定範囲を設定する判定範囲設定部をさらに備え、前記判定範囲設定部は、前記報知の対象である生体が前記浴室に入室している状態で、前記生理量検出部により検出された前記生理量に基づいて前記判定範囲を設定することが好ましい。
【００１１】
この構成によれば、報知の対象となる生体（浴室が設置された家屋に住んでいる幼児等）が浴室に入室している状態で、生理量検出部によりその生理量を検出する。そして、判定範囲設定部は、検出された生理量に基づいて判定範囲を設定する。これにより、報知対象の生体が浴室内に進入してきたことをより確実に検知して報知を行うことができる。
【００１２】
また、本発明の浴室監視システムにおいて、前記判定範囲を設定する判定範囲設定部をさらに備え、前記生理量検出部は、前記浴室に設置された浴室暖房機に設けられ、前記判定範囲設定部は、使用者による前記浴室暖房機の操作部の操作に応じて前記判定範囲を設定する処理を実行することが好ましい。
【００１３】
この構成によれば、使用者が、例えば、浴室の外にある浴室暖房機の操作部（リモコン）を操作することで、判定範囲設定部は、報知の対象となる生体（浴室が設置された家屋に住んでいる幼児等）の生理量の判定範囲を設定する処理を実行させることができる。
【００１４】
また、本発明の浴室監視システムにおいて、前記生理量検出部は、前記生理量として、生体の心拍、脈拍、呼吸、血圧のうちの何れか１つの状態を検出することが好ましい。
【００１５】
心拍、脈拍、呼吸、血圧は、人間の年齢によって、又は人間か動物かによってその数値範囲が異なる。このため、浴室監視システムで検出する生理量として、その状態を検出することで、浴室に進入してきた生体を容易に特定することができる。
【図面の簡単な説明】
【００１６】
【図１】生理量センサを備えた浴室の説明図。
【図２】本発明の浴室監視システムの全体構成図。
【図３】生理量検出処理のフローチャート。
【図４Ａ】人間の年齢に応じた心拍数表。
【図４Ｂ】生体の種類に応じた心拍数表。
【図５】初期設定処理のフローチャート。
【発明を実施するための形態】
【００１７】
本発明の実施形態について、図１〜図５を参照して説明する。浴室監視システム１は、後述する浴室暖房機１０の機能の一部として構成されている。まず、図１を参照して、本発明の浴室監視システム１の監視エリアである浴室ＢＲについて説明する。
【００１８】
浴室ＢＲには、浴槽２と、浴室リモコン３と、浴室暖房機１０とが設置されている。浴室リモコン３は、浴室ＢＲの壁面に設置され、屋外に設置された給湯器３０を遠隔操作することができる。
【００１９】
また、浴室暖房機１０は、浴室ＢＲの壁面に設置されている。浴室暖房機１０は、浴室ＢＲの空調（暖房、換気、乾燥、送風等）を行う機能を有し、浴室ＢＲに隣接する脱衣室ＤＲの壁面に設置された浴暖リモコン２０により遠隔操作される。浴室暖房機１０の設置場所は、浴室の天井であってもよい。
【００２０】
浴室暖房機１０は、給湯器３０と通信可能に接続されており、浴室リモコン３と、台所に設置されて、給湯器３０を遠隔操作する台所リモコン４０によっても遠隔操作される。浴室リモコン３及び台所リモコン４０には、給湯器３０の運転状態等を報知するディスプレイ及びスピーカが備えられている。
【００２１】
また、浴室暖房機１０は、生理量センサ１２（本発明の「生理量検出部」に相当する）を備えている。生理量センサ１２は、例えば、マイクロ波を人体に照射して、照射波と反射波との差でセンシングするドップラーセンサであって、浴室ＢＲ内に入ってきた進入者Ｐの心拍数を非接触で検出することができる。なお、生理量センサ１２は、浴室暖房機１０の外部に設けられ、浴室暖房機１０と有線接続されている構成であってもよい。
【００２２】
心拍数は、人間の年齢によりその平均値が異なっているので、生理量センサ１２で検出された心拍数に基づいて、進入者Ｐ又は入浴者が家族のうち誰であるかを判定することができる。心拍数は、人間と動物（犬や猫等のペット）との間でも数値に差異があるので、それらを区別することもできる。
【００２３】
通常、進入者Ｐは、脱衣室ＤＲから浴室ドア４を通って浴室ＢＲに入室する。浴室監視システム１は、幼児が１人で浴室ＢＲに進入して、浴槽２に転落する等の事故を防止するため、進入者Ｐの心拍数を検知して、心拍数が予め設定された判定範囲内であった場合に、台所リモコン４０及び浴室リモコン３のスピーカから警告音等を出力すると共に、ディスプレイに警告画面を表示して報知するようになっている。
【００２４】
なお、浴室リモコン３による報知は、浴室ＢＲの近くにいる大人に知らせるだけでなく、浴室ＢＲ内に進入した幼児に直接警告できるという効果がある。警告は、浴室リモコン３や台所リモコン４０に限らず、浴暖リモコン２０によって行うこともできる。
【００２５】
次に、図２を参照して、浴室監視システム１の全体構成について説明する。
【００２６】
まず、浴室暖房機１０は、浴暖リモコン２０との間でリモコンケーブルを介して通信を行うリモコン通信回路１１、浴室ＢＲにいる人の心拍数を検出する生理量センサ１２、浴室暖房機１０の全体的な作動を制御する浴室暖房制御部１３、給湯器３０との間で通信を行う給湯器通信回路１４、及び屋外に設置された無線ルータ５０を介して、通信ネットワーク６０に接続された通信端末７０（スマートフォン、携帯電話、タブレット端末等）との間で通信を行う外部通信回路１５を備えている。なお、通信ネットワーク６０に接続される機器は、インターネット接続されたテレビであってもよい。
【００２７】
浴室暖房制御部１３は、ＣＰＵ、メモリ、各種インタフェース回路等により構成された電子ユニットであり、メモリに保持された浴室暖房機１０の制御用プログラムをＣＰＵにより実行することによって、浴室暖房機１０の作動を制御する機能を果たす。また、浴室暖房制御部１３は、浴室ＢＲ内で特定の生体が検出されたとき警告等を行うための入室報知部１３１と、生理量の閾値や範囲を設定する判定範囲設定部１３２とを備えている。
【００２８】
次に、浴暖リモコン２０は、浴室暖房機１０との間でリモコンケーブルを介して通信を行うリモコン通信回路２１、浴暖リモコン２０の全体的な作動を制御する浴暖リモコン制御部２２、及び後述する処理（図５参照）により、浴室ＢＲ内の特定の生体から警告のための閾値となる生理量を取得する処理の開始を指示する初期設定スイッチ２３を備えている。また、図示していないが、閾値となる生理量を、例えば、心拍数「１００（回／分）」のように直接的に設定する操作スイッチも備えている。
【００２９】
次に、給湯器３０は、浴室暖房機１０との間で通信を行う浴室暖房機通信回路３１、給湯器３０の全体的な作動を制御する給湯器制御部３２、及び浴室リモコン３又は台所リモコン４０の間でリモコンケーブルを介して通信を行うリモコン通信回路３３を備えている。
【００３０】
例えば、浴室ＢＲに幼児が進入した場合、浴室暖房機１０の生理量センサ１２によりその幼児の心拍数が検出される。そして、心拍数の数値から浴室暖房制御部１３で警告を行う判定範囲内か否かが判定される。警告を行うと判定された場合、その旨の信号が給湯器通信回路１４から給湯器３０の浴室暖房機通信回路３１、リモコン通信回路３３を経て、台所リモコン４０に送信される。これにより、大人は、浴室ＢＲから離れている状況でも、台所リモコン４０のスピーカから発せられる警告により、浴室ＢＲ内での異常に気付くようになる。
【００３１】
浴室暖房制御部１３で警告を行うと判定された場合、浴室暖房機１０の外部通信回路１５から無線ルータ５０、通信ネットワーク６０を介して、通信端末７０にメール等で警告メッセージを送信するようにしてもよい。
【００３２】
次に、図３を参照して、浴室監視システム１の生理量検出処理のフローチャートを説明する。また、図４Ａ，図４Ｂの心拍数表を適宜参照して、説明を補足する。
【００３３】
まず、ＳＴＥＰ１において、生理量センサ１２は、浴室ＢＲ内で生体を検出したか否かを判定する。生理量センサ１２は常時オンしておいてもよいし、浴室ＢＲを使用しない時間帯のみ浴暖リモコン２０や台所リモコン４０からオンしてもよい。浴室ＢＲ内で生体を検出した場合にはＳＴＥＰ２に進み、検出していない場合には検出するまでループする。
【００３４】
ＳＴＥＰ２では、生理量センサ１２により、浴室ＢＲ内の生体の心拍数を計測する。生体は、主に人間を想定しているが、犬や猫等のペットでもよく、水分を有する生体であれば心拍数を計測することができる。その後、ＳＴＥＰ３に進む。
【００３５】
ＳＴＥＰ３では、計測された心拍数が閾値となる１００（回／分）以上か否かを判定する。図４Ａの心拍数表によれば、心拍数（平均値）が警告範囲の１００〜１２０（回／分）の場合には、人間の４歳以下に相当し、１人で浴室ＢＲに近づくと危険な年齢である。従って、浴室監視システム１では、心拍数１００（回／分）を閾値に設定している。
【００３６】
また、図４Ｂの心拍数表によれば、犬（小型犬）と猫の心拍数が、それぞれ１８０（回／分）、１４５（回／分）であるから、心拍数１００（回／分）を閾値に設定することで、ペットが浴室ＢＲに進入した場合についても、後述する報知の対象とすることができる。心拍数が１００（回／分）以上の場合にはＳＴＥＰ４に進み、１００（回／分）未満の場合にはＳＴＥＰ１に戻る。
【００３７】
ＳＴＥＰ４では、特定の生体が検出されたことの報知を開始する。例えば、台所リモコン４０のスピーカからブザーを鳴らしたり、「浴室に幼児が入りました。」等の警告が発せられる。その後、ＳＴＥＰ５に進む。
【００３８】
最後に、ＳＴＥＰ５では、報知が解除されたか否かが判定される。例えば、大人が浴室ＢＲに進入した幼児やペットを浴室ＢＲの外に連れ出して、浴暖リモコン２０等で報知を解除する。この処理により、一連の生理量検出処理が終了する。
【００３９】
今回、閾値を心拍数１００（回／分）としたが、家族構成によって閾値を適宜変更することができる。また、浴室ＢＲに１人で進入すると危険な、その家庭の幼児の心拍数を閾値として設定することもできる。
【００４０】
次に、図５を参照して、上述の閾値を、家庭内の幼児の心拍数に設定する初期設定処理のフローチャートを説明する。
【００４１】
まず、ＳＴＥＰ１１において、報知する対象となる幼児を浴室ＢＲに入室させた状態で、大人が浴暖リモコン２０の初期設定スイッチ２３（本発明の「操作部」に相当する）をオンする。判定範囲設定部１３２（図２参照）は、この操作により、報知する心拍数の範囲又は閾値の設定処理を開始する。
【００４２】
なお、初期設定スイッチ２３がオンされた後、生理量センサ１２によるセンシングが安定して行われるようになるまで、所定の時間を必要とする。その後、ＳＴＥＰ１２に進む。
【００４３】
ＳＴＥＰ１２では、生理量センサ１２により、浴室ＢＲ内での生体の検出が開始される。その後、ＳＴＥＰ１３に進む。
【００４４】
ＳＴＥＰ１３では、生理量センサ１２により、生体の検出時間ｔが１０秒を超えたか否かが判定される。検出時間ｔが１０秒を超えた場合には、その生体について心拍数の計測が可能と判断してＳＴＥＰ１４に進み、１０秒以下である場合には１０秒を超えるまでループする。
【００４５】
ＳＴＥＰ１４では、生理量センサ１２により、浴室ＢＲ内の生体の心拍数を計測する。これにより、浴室ＢＲにいる幼児の心拍数を計測することができる。その後、ＳＴＥＰ１５に進む。
【００４６】
最後に、ＳＴＥＰ１５では、ＳＴＥＰ１４で計測された心拍数（例えば、１０５（回／分）とする）−αを閾値として設定する。ここで、「α」は、生体の状態による心拍数の変化を考慮して決定した調整値である。次回より、生理量検出処理（図３参照）にて、心拍数が１０５（−α）以上であった場合に報知が行われるようになる。この処理により、一連の初期設定処理が終了する。
【００４７】
生理量は、脈拍数、呼吸数又は血圧であってもよい。脈拍数や呼吸数も人間の年齢に応じた傾向があるため、閾値を設定することで警告するか否かの判定に用いることができる。また、呼吸の波形を確認して、大人か子供かを判定し、警告するようにしてもよい。
【００４８】
測定する生理量は、その絶対値に限られない。例えば、生理量を所定時間測定して、生理量の変化の傾き（変化度合）を取得する。そして、その傾きの傾向が子供のものである場合に、警告するようにしてもよい。
【００４９】
また、生理量センサ１２の設置場所は、浴室ＢＲに限られない。脱衣室ＤＲ内（例えば、浴室ドア４の開放時に浴室ＢＲ内が見える位置）に設けられた生理量センサによる検出エリアを浴室ＢＲ内に設定して、浴室ＢＲに入室している生体の生理量を検出するようにしてもよい。
【符号の説明】
【００５０】
１…浴室監視システム、２…浴槽、３…浴室リモコン、４…浴室ドア、１０…浴室暖房機、１１…リモコン通信回路、１２…生理量センサ、１３…浴室暖房制御部、１４…給湯器通信回路、１５…外部通信回路、２０…浴暖リモコン、２１…リモコン通信回路、２２…浴暖リモコン制御部、２３…初期設定スイッチ、３０…給湯器、３１…浴室暖房機通信回路、３２…給湯器制御部、３３…リモコン通信回路、４０…台所リモコン、５０…無線ルータ、６０…通信ネットワーク、７０…通信端末、１３１…入室報知部、１３２…判定範囲設定部。
【図１】
2018036883.tif 000003
【図２】
2018036883.tif 000004
【図３】
2018036883.tif 000005
【図４Ａ】
2018036883.tif 000006
【図４Ｂ】
2018036883.tif 000007
【図５】
2018036883.tif 000008